(57)【要約】【課題】外部空間および内部空間の気圧差を低減して水密性を向上できる玄関庇を提供すること。【解決手段】玄関庇は、左右の支柱および桁材と、支柱上に設置されて建物の外壁に固定される屋根４とを備える。玄関庇の開口部１０Ｂには外部空間１１および内部空間１２を仕切るパネル材７８Ａなどの仕切部が設置される。屋根４は、屋根枠を構成する前枠および左右の側枠４２と、屋根枠の周面を覆う化粧材４７と、屋根枠内に設置される屋根材５１と、屋根枠内に設置されて屋根材５１との間に屋根内空間１８を形成する軒天材５３とを備える。側枠は側枠本体および側枠アタッチメントを備える。前述した仕切部、化粧材４７および軒天材５３の間に外部開口１５が形成される。軒天材５３は内部開口を有する。屋根４には、外部開口１５、屋根内空間１８および内部開口を通じる外気導入路１４が構成されている。【選択図】図６
2020133141.tif 000002
【特許請求の範囲】
【請求項１】
左右の支柱と、前記左右の支柱に取り付けられた桁材と、前記左右の支柱および前記桁材の上に設置され且つ建物の外壁に固定された屋根とを備え、前記左右の支柱間と前記左右の支柱および前記外壁間とにそれぞれ形成される開口部には外部空間および内部空間を仕切る仕切部が設置された玄関庇であって、
前記屋根は、左右の側枠、および前記左右の側枠に取り付けられた前枠によって構成される屋根枠と、前記屋根枠の周面を覆って配置された化粧材と、前記屋根枠内に設置された屋根材と、前記屋根枠内に設置されて前記屋根材との間に屋根内空間を形成する軒天材とを備え、
前記左右の側枠は、前記左右の支柱に支持された側枠本体と、前記側枠本体を前記軒天材に連結した側枠アタッチメントとを備え、
前記仕切部、前記化粧材および前記側枠アタッチメントに連結された前記軒天材の間に外部開口が形成され、
前記軒天材は前記玄関庇の内部空間に連通する内部開口を有し、
前記屋根には、前記外部開口、前記屋根内空間および前記内部開口を通じる外気導入路が構成されている
ことを特徴とする玄関庇。
【請求項２】
請求項１に記載の玄関庇において、
前記側枠アタッチメントは、前記側枠本体に取り付けられた枠取付部と、前記枠取付部から下方に延出した枠見付け片部と、前記枠見付け片部から内側に突出して前記軒天材が取り付けられた軒天取付部とを有し、
前記枠見付け片部および前記支柱の間には第一間隙が形成され、
前記枠見付け片部および前記化粧材の間には第二間隙が形成され、
前記外気導入路は、前記第一間隙および前記第二間隙を通る構成とされている
ことを特徴とする玄関庇。
【請求項３】
請求項１または請求項２に記載の玄関庇において、
前記化粧材の下側縁部は、前記側枠アタッチメントよりも下側に配置されている
ことを特徴とする玄関庇。
【請求項４】
請求項１から請求項３のいずれか一項に記載の玄関庇において、
前記軒天材は、前記側枠に沿った複数の軒天パネルを並設して構成され、
前記桁材には、前記軒天パネルの端部が載せられる桁材アタッチメントが取り付けられ、
前記複数の軒天パネル同士の連結部分には下方で開口した凹溝が構成され、
前記凹溝の端面および前記桁材アタッチメントの間に前記内部開口が形成されている
ことを特徴とする玄関庇。
【発明の詳細な説明】
【技術分野】
【０００１】
本発明は、開口部に引き戸や窓などの各種の建具が取り付けられる玄関庇に関する。
【背景技術】
【０００２】
従来、ポーチ庇と、ポーチ庇の先端側を支える二本の支柱とを備える玄関ポーチ（玄関庇）が知られており（特許文献１参照）、二本の支柱間や建物外壁間の開口部に引き戸が取り付けられている。
【先行技術文献】
【特許文献】
【０００３】
【特許文献１】特開２０００−８７４４６号公報
【発明の概要】
【発明が解決しようとする課題】
【０００４】
ところで、特許文献１に記載の玄関ポーチでは、前述した開口部が引き戸などによって閉鎖された状態では、玄関ポーチに対する外部空間と玄関ポーチの内部空間との間に気圧差が生じて、雨天時に雨水が玄関ポーチの外部空間から引き込まれながら内部空間へ浸入するおそれがある。
【０００５】
本発明は、外部空間および内部空間の気圧差を低減して水密性を向上できる玄関庇を提供することを目的とする。
【課題を解決するための手段】
【０００６】
本発明の玄関庇は、左右の支柱と、前記左右の支柱に取り付けられた桁材と、前記左右の支柱および前記桁材の上に設置され且つ建物の外壁に固定された屋根とを備え、前記左右の支柱間と前記左右の支柱および前記外壁間とにそれぞれ形成される開口部には外部空間および内部空間を仕切る仕切部が設置された玄関庇であって、前記屋根は、左右の側枠、および前記左右の側枠に取り付けられた前枠によって構成される屋根枠と、前記屋根枠の周面を覆って配置された化粧材と、前記屋根枠内に設置された屋根材と、前記屋根枠内に設置されて前記屋根材との間に屋根内空間を形成する軒天材とを備え、前記左右の側枠は、前記左右の支柱に支持された側枠本体と、前記側枠本体を前記軒天材に連結した側枠アタッチメントとを備え、前記仕切部、前記化粧材および前記側枠アタッチメントに連結された前記軒天材の間に外部開口が形成され、前記軒天材は前記玄関庇の内部空間に連通する内部開口を有し、前記屋根には、前記外部開口、前記屋根内空間および前記内部開口を通じる外気導入路が構成されていることを特徴とする。
【発明の効果】
【０００７】
本発明によれば、外部空間および内部空間の気圧差を低減して水密性を向上できる玄関庇を提供することができる。
【図面の簡単な説明】
【０００８】
【図１】本発明の実施形態に係る玄関庇を示す正面図。
【図２】前記実施形態に係る玄関庇を示す側面図。
【図３】前記実施形態に係る玄関庇を示す平面図
【図４】前記実施形態に係る玄関庇を示す横断面図。
【図５】前記実施形態に係る玄関庇の屋根を一部展開して示す斜視図。
【図６】前記実施形態に係る玄関庇の要部を示す縦断面図。
【発明を実施するための形態】
【０００９】
［本実施形態の構成］
以下、本発明の実施形態を図面に基づいて説明する。
図１から図４において、本実施形態に係る屋根構造物である玄関庇１は、地面に立設された左右の支柱２（２Ａ，２Ｂ）と、前記支柱２Ａ，２Ｂの上端部に取り付けられた桁材３と、建物の外壁５に取り付けられて支柱２Ａ，２Ｂに支持された屋根４とを備えており、支柱２Ａ，２Ｂ間に形成された開口部１０Ａに建具としての上吊式の引き戸６が設置され、支柱２Ａおよび外壁５間に形成された開口部１０Ｂに建具としての引き違い窓７が設置され、支柱２Ｂおよび外壁５間に形成された開口部１０Ｃに建具としての固定窓８が設置されている。
以下の説明において、玄関庇１の左右方向（間口方向）をＸ軸方向とし、玄関庇１の上下方向をＹ軸方向とし、玄関庇１の見込み方向（奥行方向）をＺ軸方向とする。Ｘ，Ｙ，Ｚ軸方向は互いに直交している。
【００１０】
支柱２Ａ，２Ｂは、柱前片部２１、柱後片部２２および一対の柱側片部２３を有して断面略矩形状にそれぞれ形成されており、柱前片部２１には樋部材２５（図４参照）が取り付けられている。支柱２Ａ，２Ｂの上端部においては、Ｘ軸方向における内側の柱側片部２３が切り欠かれており、当該上端部に桁材３の端部が配置される構成となっている。
桁材３は、図５に示すように、桁上片部３１、桁下片部３２および一対の桁側片部３３を有して断面略矩形状に形成されており、外壁５側の桁側片部３３にはＸ軸方向に沿った桁材アタッチメント３５が取り付けられている。
屋根４には屋根勾配が設定されており、屋根４上を流れる雨水は樋部材２５を通って排水されるようになっている。
【００１１】
引き戸６は、図１および図４に示すように、上枠６１、左右の縦枠６３，６４および中骨６５によって構成される枠体６６と、上枠６１、戸尻側の縦枠６４および中骨６５に嵌め殺しされた面材６７と、引き戸６の左右方向（Ｘ軸方向）にスライド可能に上枠６１に吊下げ支持された戸体６８とを備えている。面材６７の下縁部は、縦枠６４および中骨６５に取り付けられた下框６２によって保持されている。
引き違い窓７は、図２および図４に示すように、上枠７１、下枠７２および左右の縦枠７３，７４によって構成された窓枠７５と、窓枠７５内に左右方向（Ｙ軸方向）に引き違い可能に設置された外障子７６および内障子７７とを備えている。本実施形態では、引き違い窓７に対して上側および下側の部分にはパネル材７８，７８Ａ，７９が設置されている。
固定窓８は、図示しない上枠および下枠と、図４に示す左右の縦枠８２，８３によって構成した窓枠に面材８１を嵌め殺しして構成されている。なお、固定窓８および屋根４の間や固定窓８および地面の間に間隔がある場合には、これらの間隔はパネル材（図示省略）によって仕切られる。
このように、玄関庇１は、引き戸６、引き違い窓７、固定窓８といった建具および各パネル材７８，７９によって構成される仕切部が開口部１０Ａ〜１０Ｃに設置されることによって外部空間１１と内部空間１２とに仕切られている。
【００１２】
屋根４は、図３および図５に示すように、Ｘ軸方向に延びて外壁５に固定された垂木掛け４１と、垂木掛け４１の両端部に取り付けられた左右の側枠４２，４３と、側枠４２，４３に取り付けられた前枠４４と、側枠４２，４３および前枠４４によって構成される屋根枠４５の周面を覆って配置された化粧材４６，４７，４８と、垂木掛け４１および前枠４４に掛けられた複数の垂木４９と、側枠４２，４３および垂木４９間や垂木４９同士の間に設置された野縁５０と、複数の垂木４９に載せられて屋根枠４５内に設置された屋根材５１と、屋根材５１を上方から押える屋根押え材５２と、屋根枠４５内において屋根材５１に対して下方の位置に設置された軒天材５３とを備えており、屋根材５１および軒天材５３の間には屋根内空間１８が形成されている。屋根材５１はパネル材によって形成されている。
前枠４４は、側枠４２，４３の前側の端部に取り付けられており、化粧材４６は前枠４４の前面を覆って配置されており、左右の化粧材４７，４８は側枠４２，４３の見付け面をそれぞれ覆って配置されている。化粧材４６，４７の突合せ端部と、化粧材４６，４８の突合せ端部はコーナー材を介して連結されている。化粧材４７の下側縁部は、後述する側枠アタッチメント４２２よりも下側に配置された水切り部４７１として構成されている。水切り部４７１は、Ｘ軸方向内側に折曲されて支柱２Ａの柱側片部２３に当接する一方、図６に示すように後述する端部軒天パネル５３１の下面に取り付けられてパネル材７８Ａ（妻パネル材）を保持する上側の縁材７８１との間に外部開口１５を形成している。
【００１３】
側枠４２は、図６に示すように、断面略矩形枠状の側枠本体４２１と、側枠本体４２１に取り付けられた側枠アタッチメントと４２２とを備えている。側枠本体４２１は、垂木掛け４１の一方の端部に取り付けられ且つ支柱２Ａに支持されている。側枠アタッチメント４２２は、側枠本体４２１の下面に取り付けられた見付け片によって形成された枠取付部４２３と、枠取付部４２３の外周縁から下方に延出した枠見付け片部４２４と、枠見付け片部４２４から内側に突出した軒天取付部４２５とを有しており、軒天取付部４２５には、端部軒天パネル５３１が取り付けられている。枠見付け片部４２４は軒天取付部４２５よりも下方に延出して形成されている。側枠アタッチメント４２２は、外壁５および支柱２Ａの間に配置されており、枠見付け片部４２４の前側の端部と支柱２Ａの柱後片部２２との間には第一間隙１６（図５参照）が形成されており、枠見付け片部４２４と化粧材４７との間には第二間隙１７（図６参照）が形成されている。また、側枠本体４２１には、支柱２Ａおよび前枠４４間に位置する側枠アタッチメント４２６が取り付けられており、側枠アタッチメント４２６には、桁材３よりも前枠４４側に配置される前部軒天パネル５３３が取り付けられている。
なお、側枠４３は側枠４２と同様に構成されて左右逆向きに配置されており、垂木掛け４１の他方の端部に取り付けられ且つ支柱２Ｂに支持されている。
【００１４】
軒天材５３は、桁材３および外壁５間において並設された複数の軒天パネルとして左右両端に位置する端部軒天パネル５３１と、左右の端部軒天パネル５３１間に配置された複数の中間軒天パネル５３２とを備えている。また、軒天材５３は、桁材３および前枠４４間において並設された複数の前部軒天パネル５３３を備えている。各軒天パネル５３１〜５３３は側枠４２，４３に沿ってＺ軸方向に延びている。
端部軒天パネル５３１および中間軒天パネル５３２の桁材３側の端部は桁材アタッチメント３５に載せられている。端部軒天パネル５３１および中間軒天パネル５３２の外壁５側の端部は垂木掛け４１の下部に取り付けられたアタッチメントに載せられている。左右の端部軒天パネル５３１の側枠４２，４３側の側縁部は、側枠アタッチメント４２２の軒天取付部４２５に取り付けられており、左右の端部軒天パネル５３１の中間軒天パネル５３２側の側縁部には当該中間軒天パネル５３２の側縁部が連結されている。互いに隣接する中間軒天パネル５３２の側縁部同士は互いに連結されている。端部軒天パネル５３１は、縁材７８１および化粧材４７（４８）とともに前述した外部開口１５を形成している。
また、複数の前部軒天パネル５３３の桁材３側の端部は当該桁材３に掛けられており、複数の前部軒天パネル５３３の前枠４４側の端部は当該前枠４４に取り付けられた前枠アタッチメントに載せられている。複数の前部軒天パネル５３３の側縁部同士は連結されており、複数の前部軒天パネル５３３のうち左右両端に位置する前部軒天パネル５３３の側枠４２，４３側の側縁部は側枠アタッチメント４２６に取り付けられている。
【００１５】
複数の軒天パネル５３２同士の連結部分には、下方で開口した凹溝５３５が構成されており（図１参照）、凹溝５３５の端面および桁材アタッチメント３５の間と、凹溝５３５の端面および垂木掛け４１に取り付けられた前記アタッチメントの間とに内部開口１９（図１および図５参照）が形成されている。
【００１６】
前述した屋根４には、外部開口１５、第一間隙１６、第二間隙１７、屋根内空間１８および内部開口１９を通じる外気導入路１４が構成されている。
このため、雨天時において外部空間１１が正圧に、内部空間１２が負圧になる気圧差が生じようとしても、外部空間１１の外気９が外気導入路１４から内部空間１２に導入されるので、雨水が外部空間１１から内部空間１２に引き込まれて浸入するような気圧差の発生が抑制される。
【００１７】
[変形例]
前記実施形態では、側枠アタッチメント４２２を支柱２に対してＺ軸方向に離間して配置することで、側枠アタッチメント４２２および支柱２の間に通気可能な第一間隙１６を形成しているが、これに限らず、例えば、第一間隙１６を形成せずに側枠アタッチメント４２２自体を加工して通気口を適宜形成することによって外部開口１５および屋根内空間１８を連通させてもよい。
前記実施形態では、化粧材４７，４８の下側縁部（水切り部４７１）は、側枠アタッチメント４２２よりも下側に配置されているが、雨水が外部開口１５に吹き込むおそれを考慮する必要がない場合には、水切り部４７１を側枠アタッチメント４２２の下縁と同じ高さ位置またはこれよりも高い位置に配置してもよい。
前記実施形態では、中間軒天パネル５３２の凹溝５３５の両端面と桁材アタッチメント３５および垂木掛け４１側のアタッチメントとの間に内部開口１９を形成しているが、これに限らず、例えば、中間軒天パネル５３２を加工して内部開口１９を構成する切欠きや孔を形成してもよい。
前記実施形態では、開口部１０Ａ〜１０Ｃに引き戸６、引き違い窓７、固定窓８が設置されているが、これらに限らず各種の建具が設置可能であり、各種の建具やパネル材によって開口部１０Ａ〜１０Ｃを外部空間１１と内部空間１２とに仕切っていてもよい。
【００１８】
[本発明のまとめ]
本発明の玄関庇は、左右の支柱と、前記左右の支柱に取り付けられた桁材と、前記左右の支柱および前記桁材の上に設置され且つ建物の外壁に固定された屋根とを備え、前記左右の支柱間と前記左右の支柱および前記外壁間とにそれぞれ形成される開口部には外部空間および内部空間を仕切る仕切部が設置された玄関庇であって、前記屋根は、左右の側枠、および前記左右の側枠に取り付けられた前枠によって構成される屋根枠と、前記屋根枠の周面を覆って配置された化粧材と、前記屋根枠内に設置された屋根材と、前記屋根枠内に設置されて前記屋根材との間に屋根内空間を形成する軒天材とを備え、前記左右の側枠は、前記左右の支柱に支持された側枠本体と、前記側枠本体を前記軒天材に連結した側枠アタッチメントとを備え、前記仕切部、前記化粧材および前記側枠アタッチメントに連結された前記軒天材の間に外部開口が形成され、前記軒天材は前記玄関庇の内部空間に連通する内部開口を有し、前記屋根には、前記外部開口、前記屋根内空間および前記内部開口を通じる外気導入路が構成されていることを特徴とする。
本発明の玄関庇によれば、前記屋根に構成された外気導入路を通じて玄関庇に対する外部空間から内部空間に外気を導入することで外部空間と内部空間との気圧差を低減でき、これにより、気圧差によって雨水が外部空間から引き込まれながら内部空間に浸入することを抑制できて水密性を向上できる。
また、雨天時に外部開口に吹き込もうとする雨水は、軒天材によって外部に返されるので、雨水が外部開口から浸入しにくい構成にできる。
【００１９】
本発明の玄関庇では、前記側枠アタッチメントは、前記側枠本体に取り付けられた枠取付部と、前記枠取付部から下方に延出した枠見付け片部と、前記枠見付け片部から内側に突出して前記軒天材が取り付けられた軒天取付部とを有し、前記枠見付け片部および前記支柱の間には第一間隙が形成され、前記枠見付け片部および前記化粧材の間には第二間隙が形成され、前記外気導入路は、前記第一間隙および前記第二間隙を通る構成とされていてもよい。
このような構成によれば、側枠アタッチメントに通気口を加工して形成する必要がなく、外気導入路を容易に構成できる。
【００２０】
本発明の玄関庇では、前記化粧材の下側縁部は、前記側枠アタッチメントよりも下側に配置されていてもよい。
このような構成によれば、化粧材に吹き付けられる雨水は当該化粧材の見付け面に沿って流れて下側縁部から下方に垂れ落ちるので、外部開口から第一間隙に雨水が浸入するおそれを低減できる。
【００２１】
本発明の玄関庇では、前記軒天材は、前記側枠に沿った複数の軒天パネルを並設して構成され、前記桁材には、前記軒天パネルの端部が載せられる桁材アタッチメントが取り付けられ、前記複数の軒天パネル同士の連結部分には下方で開口した凹溝が構成され、前記凹溝の端面および前記桁材アタッチメントの間に前記内部開口が形成されていてもよい。
このような構成によれば、軒天パネルの端部は桁材アタッチメントに覆われているので、玄関庇の内部空間から上方を見上げても内部開口が視認されることがなく、意匠性を維持したまま外気導入路を構成できる。
【符号の説明】
【００２２】
１…玄関庇、９…外気、１０Ａ〜１０Ｃ…開口部、１１…外部空間、１２…内部空間、１４…外気導入路、１５…外部開口、１６…第一間隙、１７…第二間隙、１８…屋根内空間、１９…内部開口、２（２Ａ，２Ｂ）…支柱、３…桁材、３５…桁材アタッチメント、４…屋根、４２，４３…側枠、４２１…側枠本体、４２２，４２６…側枠アタッチメント、４２３…枠取付部、４２４…枠見付け片部、４２５…軒天取付部、４４…前枠、４５…屋根枠、４６〜４８…化粧材、４７１…水切り部、５…外壁、５１…屋根材、５３…軒天材、５３１…端部軒天パネル、５３２…中間軒天パネル、５３３…前部軒天パネル、５３５…凹溝、６…引き戸、７…引き違い窓、７８，７８Ａ，７９…パネル材、７８１…縁材、８…固定窓。
【図１】
2020133141.tif 000003
【図２】
2020133141.tif 000004
【図３】
2020133141.tif 000005
【図４】
2020133141.tif 000006
【図５】
2020133141.tif 000007
【図６】
2020133141.tif 000008